(57)【要約】      （修正有）【課題】傾斜地用門扉として、主柱と支柱を連結する連結具を簡単な構成にすることで、傾斜地における伸縮扉部の上下移動の変位を吸収でき、且つ廉価な伸縮門扉を提供する。【解決手段】水平面Ｈに対して鉛直に立設した既存の単管柱２にクランプ９で固定される主柱３と、主柱の先端側に隣接して設けられ、伸縮扉部５の開閉方向基端を構成する基端側支柱４と、伸縮扉部の開閉方向先端を構成する先端側支柱６と、主柱と基端側支柱との間を連結してなる連結具８とから形成され、連結具８は、それぞれ長穴を有する第一、第二連結プレートと、長穴に連結され、２つの連結プレートを互いに摺動／回動自在とする連結ボルトとから構成されてなり、基端側支柱４及び先端側支柱６が傾斜地の設置面Ｓに対して鉛直に立設するように構成されてなる。【選択図】図１
0003205318.tif 000002
【実用新案登録請求の範囲】
【請求項１】
開閉方向基端から開閉方向先端へ向けて伸縮する伸縮扉部を備えた伸縮門扉において、
前記伸縮門扉の基端に立設された主柱と、
前記主柱の先端側に隣接して設けられ、前記伸縮扉部の基端を構成する支柱と、
前記主柱と前記支柱との間を連結してなる連結具を備え、
前記連結具は、第一連結プレートと、第二連結プレートと、連結ボルトと、から構成され、
前記第一連結プレートは、正面中央部から裏面へ貫通してなる第一長穴を有し、前記第一長穴より基端側において前記主柱に軸支され、
前記第二連結プレートは、正面中央部から裏面へ貫通してなる第二長穴を有し、前記第二長穴より先端側において前記支柱に軸支され、
前記第一長穴と前記第二長穴とを重ね合わせた状態で、重ね合わされた前記第一長穴と前記第二長穴に前記連結ボルトを挿通して連結することにより、前記第一連結プレート及び前記第二連結プレートが互いに前記連結ボルトを軸として摺動及び回動自在である、
ことを特徴とする伸縮門扉。
【請求項２】
前記第一連結プレートは、先端から基端方向に向かって、上下端が開放されてなる溝が形成されてなり、
前記第二連結プレートが前記溝に挿し込まれてなる、
ことを特徴とする請求項１に記載の伸縮門扉。
【請求項３】
開閉方向基端から開閉方向先端へ向けて伸縮する伸縮扉部を備えた伸縮門扉において、
前記伸縮門扉の基端に立設された主柱と、
前記主柱の先端側に隣接して設けられ、前記伸縮扉部の基端を構成する支柱と、
前記主柱と前記支柱との間を連結してなる連結具を備え、
前記連結具は、第一連結プレートと、中間連結プレートと、第二連結プレートと、第一連結ボルトと、第二連結ボルトと、から構成され、
前記第一連結プレートは、正面中央部から裏面へ貫通してなる第一長穴を有し、前記第一長穴より基端側において前記主柱に軸支され、
前記第二連結プレートは、正面中央部から裏面へ貫通してなる第二長穴を有し、前記第二長穴より先端側において前記支柱に軸支され、
前記中間連結プレートは、正面から裏面へ貫通してなる中間長穴を有し、
前記第一長穴と中間長穴の基端側とを重ね合わせた状態で、重ね合わされた前記第一長穴と中間長穴とに第一連結ボルトを挿通して連結することにより、前記第一連結プレート及び前記中間連結プレートが互いに前記第一連結ボルトを軸として摺動及び回動自在であり、
前記中間長穴の先端側と前記第二長穴を重ね合わせた状態で、重ね合わされた前記中間長穴と前記第二長穴とに第二連結ボルトを挿通して連結することにより、前記中間連結プレート及び前記第二連結プレートが互いに前記第二連結ボルトを軸として摺動及び回動自在である、
ことを特徴とする伸縮門扉。
【請求項４】
前記第一連結プレートは、先端から基端方向に向かって、上下端が開放されてなる第一溝が形成されてなり、
前記第二連結プレートは、基端から先端方向に向かって、上下端が開放されてなる第二溝が形成されてなり、
前記中間連結プレートの基端部が前記第一溝に、先端部が前記第二溝に挿し込まれてなる、
ことを特徴とする請求項３に記載の伸縮門扉。
【請求項５】
前記連結具は、前記主柱と前記支柱との間において上下方向に複数設けられてなる、
ことを特徴とする請求項１〜４のいずれかに記載の伸縮門扉。
【考案の詳細な説明】
【技術分野】
【０００１】
本考案は、住宅、車庫、工事現場、倉庫等々の出入り口に設置される伸縮門扉に関するものであり、特に、その設置面が傾斜している場合に好適な伸縮門扉に関する。
【背景技術】
【０００２】
傾斜している設置面に設置する伸縮門扉において、伸縮柵と、縦柱と、水平面に対して鉛直状態に立設した支柱に設けられた角度調節手段によって、設置面に対して鉛直状態に調節できるようにして、支柱に取り付けられた補助支柱とからなり、縦柱の一方を、補助支柱と平行になるようにして、この補助支柱に連結した伸縮門扉が提案されている（特許文献１参照）。
【０００３】
また、支柱部材と、パンタグラフ状の棧部材とを具備して開閉される伸縮門扉において、前記棧部材の中間部に、当該棧部材の同軸上で長さを変更できる長さ変更機構を設けた伸縮門扉が提案されている（特許文献２参照）。
【先行技術文献】
【特許文献】
【０００４】
【特許文献１】特開２００８−１５６８８５号公報
【特許文献２】特開２００５−３３６８１６号公報
【考案の概要】
【考案が解決しようとする課題】
【０００５】
しかしながら、従来の伸縮門扉によれば、設置面の傾斜角度に応じて、設置の都度、角度調節手段を調節しながら、角度調節手段を連結具によって支柱と補助支柱の間を連結しなくてはならず、傾斜地へ設置するために多くの手間が掛かるという課題があった。さらに、角度調節手段を上部に取り付けて、その反対側である下部には、クランプ等の連結具によって連結したブラケットを使用して支柱と補助支柱の間を連結しなくてはならず、支柱と補助支柱の連結が角度調節手段とブラケットとで構成されているために、設置のために多くの労費と時間を要するという課題があった（特許文献１）。
【０００６】
また、別の従来技術では、各クロスバーの同軸上に長さ変更機構を設けなければならないので、構造が複雑であると共に、１か所でも故障すると無理な力が加わり他のクロスバーの故障、或いは変形等の原因になるという課題があった（特許文献２）。
【課題を解決するための手段】
【０００７】
本考案は、［１］前記課題を解決するための手段である伸縮門扉を提供するもので、開閉方向基端から開閉方向先端へ向けて伸縮する伸縮扉部を備えた伸縮門扉において、前記伸縮門扉の基端に立設された主柱と、前記主柱の先端側に隣接して設けられ、前記伸縮扉部の基端を構成する支柱と、前記主柱と前記支柱との間を連結してなる連結具を備え、前記連結具は、第一連結プレートと、第二連結プレートと、連結ボルトと、から構成され、前記第一連結プレートは、正面中央部から裏面へ貫通してなる第一長穴を有し、前記第一長穴より基端側において前記主柱に軸支され、前記第二連結プレートは、正面中央部から裏面へ貫通してなる第二長穴を有し、前記第二長穴より先端側において前記支柱に軸支され、前記第一長穴と前記第二長穴とを重ね合わせた状態で、重ね合わされた前記第一長穴と前記第二長穴に前記連結ボルトを挿通して連結することにより、前記第一連結プレート及び前記第二連結プレートが互いに前記連結ボルトを軸として摺動及び回動自在である、ことを特徴とする。
【０００８】
前記主柱は、水平面に対して鉛直状態に立設されてなる。また、他の形態として、既存の鉛直に立設した単管柱に前記主柱をクランプ等で固定される構成としても好ましい。
【０００９】
前記支柱は、前記伸縮扉部の基端と先端の両側に設けられても好ましく、前記支柱と前記伸縮扉部との連結は、前記支柱の上部、略中央部、下部の３カ所に設けたブラケットのスリットに、前記伸縮扉部のクロス材の端部、またはその交点を軸支したピンを挿通することにより、前記スリット内で前記ピンが摺動するように連結する構成にしても好ましい。
【００１０】
また、前記支柱は、前記伸縮扉部の基端と先端の両側に設けた基端側支柱と先端側支柱との間隔が広すぎる場合の対応として、前記基端側支柱と前記先端側支柱との間に中間支柱を複数設けても好ましい。
【００１１】
前記伸縮扉部は、複数の前記クロス材のそれぞれの交点をピンにより軸支することにより伸長と縮小が可能な伸縮扉が構成されてなり、前記中間支柱は、前記伸縮扉部を連結する前記基端側支柱と先端側支柱との間に設けられてなり、前記中間支柱の上部、中央部、下部の３カ所に設けたブラケットのスリットに、前記クロス材の交点を軸支したピンを挿通することにより、前記中間支柱が接地面に対して垂直に立設され、且つ前記スリット内で前記ピンが摺動することにより開閉方向に移動することができるようにしても好ましい。
【００１２】
前記支柱及び前記中間支柱には、それぞれの下端部にキャスターを設けても良い。これにより、前記伸縮扉部の開閉が簡便にできる。また、前記先端側支柱には、前記伸縮扉部の開閉用の把手を設けても好ましい。
【００１３】
また本考案は、［２］前記第一連結プレートは、先端から基端方向に向かって、上下端が開放されてなる溝が形成されてなり、前記第二連結プレートが前記溝に挿し込まれてなる、前記［１］に記載の伸縮門扉としても良い。
【００１４】
これにより、前記第一連結プレートの前記第一長穴と前記第二連結プレートの前記第二長穴とを重ね合わせて前記連結ボルトを挿通して連結することよりも、前記第一連結プレートに形成された前記溝に前記第二連結プレートが挿し込まれて前記連結ボルトを挿通して連結する方が前期連結ボルトの軸心のずれが解消され、連結状態が安定してバランスが良くなる。
【００１５】
また本考案は、［３］開閉方向基端から開閉方向先端へ向けて伸縮する伸縮扉部を備えた伸縮門扉において、前記伸縮門扉の基端に立設された主柱と、前記主柱の先端側に隣接して設けられ、前記伸縮扉部の基端を構成する支柱と、前記主柱と前記支柱との間を連結してなる連結具を備え、前記連結具は、第一連結プレートと、中間連結プレートと、第二連結プレートと、第一連結ボルトと、第二連結ボルトと、から構成され、前記第一連結プレートは、正面中央部から裏面へ貫通してなる第一長穴を有し、前記第一長穴より基端側において前記主柱に軸支され、前記第二連結プレートは、正面中央部から裏面へ貫通してなる第二長穴を有し、前記第二長穴より先端側において前記支柱に軸支され、前記中間連結プレートは、正面から裏面へ貫通してなる中間長穴を有し、前記第一長穴と中間長穴の基端側とを重ね合わせた状態で、重ね合わされた前記第一長穴と中間長穴とに第一連結ボルトを挿通して連結することにより、前記第一連結プレート及び前記中間連結プレートが互いに前記第一連結ボルトを軸として摺動及び回動自在であり、前記中間長穴の先端側と前記第二長穴を重ね合わせた状態で、重ね合わされた前記中間長穴と前記第二長穴とに第二連結ボルトを挿通して連結することにより、前記中間連結プレート及び前記第二連結プレートが互いに前記第二連結ボルトを軸として摺動及び回動自在である、ことを特徴とする。
【００１６】
これにより、前記［１］の前記連結具に対して、前記中間連結プレートと第二連結ボルトを増やすことにより、前記連結具の可動幅を拡大できる構成とすることとしても好ましい。
【００１７】
また本考案は、［４］前記第一連結プレートは、先端から基端方向に向かって、上下端が開放されてなる第一溝が形成されてなり、前記第二連結プレートは、基端から先端方向に向かって、上下端が開放されてなる第二溝が形成されてなり、前記中間連結プレートの基端部が前記第一溝に、先端部が前記第二溝に挿し込まれてなる、前記［３］に記載の伸縮門扉としても良い。
【００１８】
これにより、前記第一連結プレートの前記第一長穴と前記中間連結プレートの前記中間長穴の基端側とを重ね合せて前記第一連結ボルトを挿通して連結することよりも、前記第一連結プレートに形成された前記第一溝に前記中間連結プレートが挿し込まれて前記第一連結ボルトを挿通して連結する方が前期第一連結ボルトの軸としての中心のずれが解消され、連結状態のバランスが良くなる。同様に、前記中間連結プレートの前記中間長穴の先端側と前記第二連結プレートの前記第二長穴を重ね合せて第二連結ボルトを挿通して連結することによりも、前記第二連結プレートに形成された前記第二溝に前記中間連結プレートが挿し込まれて前記第二連結ボルトを挿通して連結する方が前期第二連結ボルトの軸としての中心のずれが解消され、連結状態のバランスが良くなる。
【００１９】
また本考案は、［５］前記連結具は、前記主柱と前記支柱との間において上下方向に複数設けられてなる、前記［１］〜［４］に記載の伸縮門扉としても良い。
【００２０】
これにより、前記主柱と前記支柱の連結が確実になることにより、前記支柱の設置面に対する立設状態が安定し、前記伸縮扉部を開閉方向に移動させ易くなる。
【００２１】
また、前記［１］〜［４］に記載の前記第一連結プレートと前記第二連結プレートは、互いの位置を入れ替えて設けられてなることとしても良い。
【考案の効果】
【００２２】
本考案によれば、連結具が第一連結プレートと、第二連結プレートと、連結ボルトと、からなり、第一連結プレート及び第二連結プレートが互いに連結ボルトを軸として摺動及び回動自在の簡単な構造にすることにより、傾斜地における伸縮扉部の上下移動の変位を吸収することができるので、伸縮扉部に無理な荷重が掛からない伸縮門扉を提供することができる。
【００２３】
しかも、従来技術のような角度調節手段、或いは、長さ変更機構等の特別な構造にしなくても傾斜地用門扉としての対応が可能である。
【００２４】
また、連結具を簡単な構造にしたことにより、製造原価が低く設定でき、且つ、設置費用も廉価で、しかも短時間での設置が可能な伸縮門扉を提供できる。
【図面の簡単な説明】
【００２５】
【図１】本考案の第一の実施例を示す図であり、傾斜地に設置して伸縮扉部を伸長させて開門した状態の伸縮門扉の正面図である。
【図２】図１の伸縮扉部を縮小させて閉門した状態の伸縮門扉の正面図である。
【図３】図１の主柱と支柱を連結する連結具の要部を示す拡大図であり、（イ）は正面図、（ロ）は（イ）のＡ−Ａ断面図である。
【図４】図３の連結具を示す拡大図であり、（ハ）は第一連結プレートで上から平面図、正面図、底面図、（ニ）は第二連結プレートで上が正面図、下が平面図、（ホ）は中間連結プレートで上が正面図、下が平面図、（ヘ）は本考案の第二の実施例で使用する第二連結プレートで上から平面図、正面図、底面図である。
【図５】本考案の第二の実施例で、主柱と支柱を連結する連結具の要部を示す拡大図であり、（ト）は正面図、（チ）は（ト）のＢ−Ｂ断面図である。
【考案を実施するための形態】
【００２６】
以下、本考案に係る実施の形態を、図１乃至図５を参照しながら詳しく説明する。
【００２７】
本考案の第一の形態の伸縮門扉１は、図１及び図２に示すように、開閉方向基端から開閉方向先端へ向けて伸縮する伸縮扉部５と、水平面Ｈに対して鉛直に立設した既存の単管柱２にクランプ９で固定される主柱３と、主柱３の先端側に隣接して設けられ、伸縮扉部５の開閉方向基端を構成する基端側支柱４と、伸縮扉部５の開閉方向先端を構成する先端側支柱６と、主柱３と基端側支柱４との間を連結してなる連結具８とから形成され、基端側支柱４及び先端側支柱６が傾斜地の設置面Ｓに対して鉛直に立設するように構成されてなる。
【００２８】
伸縮扉部５は、複数のクロス材５１の交点をピン５２により軸支し、その軸支でクロス材５１を多数連結することにより、伸長と縮小が可能な伸縮扉５０が形成されてなる。
【００２９】
基端側支柱４と伸縮扉部５との連結は、伸縮扉部５のクロス材５１の交点を軸支したピン５２を略中央部ブラケット４２のスリット４２１に、また伸縮扉部５のクロス材５１の端部を軸支したピン５３を上部ブラケット４１及び下部ブラケット４３のスリット４１１，４３１に挿通することにより、各スリット４１１，４２１，４３１内でピン５２、及びピン５３が上下方向に摺動するように連結されてなる。
【００３０】
また、伸縮扉部５と先端側支柱６との連結は、伸縮扉部５のクロス材５１の交点を軸支したピン５２を略中央部ブラケット６２のスリット６２１に、また伸縮扉部５のクロス材５１の端部を軸支したピン５３を上部ブラケット６１及び下部ブラケット６３のスリット６１１，６３１に挿通することにより、各スリット６１１，６２１，６３１内でピン５２、及びピン５３が摺動するように連結されてなる。
【００３１】
伸縮扉部５の基端に設けた基端側支柱４と伸縮扉部５の先端に設けた先端側支柱６との間隔が広すぎる場合の対応として、基端側支柱４と先端側支柱６との間に中間支柱７を複数設けている。中間支柱７の上部スリット７１、中央部スリット７２、下部スリット７３に、クロス材５１の交点を軸支したピン５２を挿通することにより、中間支柱７が接地面に対して垂直に立設され、且つ各スリット７１，７２，７３内でピン５２が上下方向に摺動することにより開閉方向に移動することができる。
【００３２】
主柱３、基端側支柱４、中間支柱７及び先端側支柱６には、それぞれの下端部にキャスターＷを設けている。これにより、伸縮扉部５の開閉が簡便にできる。
【００３３】
また、先端側支柱６の上下方向中央部には、伸縮扉部５の開閉用の把手（図示せず）が設けられる場合もある。
【００３４】
主柱３と基端側支柱４の連結は、図３及び図４に示すように、連結具８は、第一連結プレート８０と、第二連結プレート８１と、連結ボルト８４とから構成されてなる。第一連結プレート８０は、正面中央部から裏面へ貫通してなる第一長穴８０２を有し、第一長穴８０２より基端側の第一穴８０１において主柱３のブラケット８６にピン８８で軸支されてなる。第二連結プレート８１は、正面中央部から裏面へ貫通してなる第二長穴８１２を有し、第二長穴８１２より先端側の第二穴８１１において基端側支柱４のブラケット８７にピン８９に軸支されてなる。次に、第一長穴８０２と第二長穴８１２とを重ね合わせた状態で、重ね合わされた第一長穴８０２と第二長穴８１２に第一連結ボルト８４を挿通してワッシャー８４２とナット８４１とで螺合して連結することにより、第一連結プレート８０及び第二連結プレート８１が互いに第一連結ボルト８４を軸として摺動及び回動自在となり、主柱３と基端側支柱４を連結することができる。
【００３５】
また、第一連結プレート８０は、先端から基端方向に向かって、上下端が開放されてなる溝８０３が形成されてなり、第二連結プレート８１が溝８０３に挿し込まれてなる。これにより、第一連結プレート８０の第一長穴８０２と第二連結プレート８１の第二長穴８１２とを重ね合わせて連結ボルト８４を挿通して連結することよりも、第一連結プレート８０に形成された溝８０３に第二連結プレート８１が挿し込まれて連結ボルト８４を挿通して連結する方が、連結ボルト８４の軸心のずれが解消され、連結状態が安定してバランスが良くなる。
【００３６】
本考案の第二の形態の伸縮門扉１は、図４及び図５に示すように、連結具８は、第一連結プレート８０と、中間連結プレート８２と、第二連結プレート８３と、第一連結ボルト８４と、第二連結ボルト８５とから構成される。第一連結プレート８０は、正面中央部から裏面へ貫通してなる第一長穴８０２を有し、第一長穴８０２より基端側の第一穴８０１において主柱３のブラケット８６にピン８８で軸支される。第二連結プレート８３は、正面中央部から裏面へ貫通してなる第二長穴８３２を有し、第二長穴８３２より先端側の第二穴８３１において基端側支柱４のブラケット８７にピン８９に軸支される。
【００３７】
中間連結プレート８２は、正面から裏面へ貫通してなる中間長穴８２２を有し、第一長穴８０２と中間長穴８２２の基端側とを重ね合わせた状態で、重ね合わされた第一長穴８０２と中間長穴８２２とに第一連結ボルト８４を挿通してワッシャー８４２とナット８４１とで螺合して連結することにより、第一連結プレート８０及び中間連結プレート８２が互いに第一連結ボルト８４を軸として摺動及び回動自在となる。中間長穴８２２の先端側と第二長穴８３２を重ね合わせた状態で、重ね合わされた中間長穴８２２と第二長穴８３２とに第二連結ボルト８５を挿通してワッシャー８５２とナット８５１とで螺合して連結することにより、中間連結プレート８２及び第二連結プレート８３が互いに第二連結ボルト８５を軸として摺動及び回動自在となる。以上により、主柱３と基端側支柱４を連結具８によって連結することができる。
【００３８】
また、第二連結プレート８３は、基端から先端方向に向かって、上下端が開放されてなる溝８３３が形成されてなり、中間連結プレート８２が溝８３３に挿し込まれてなることとしても良い。これにより、第二連結プレート８３の第一長穴８３２と中間連結プレート８２の中間長穴８２２とを重ね合わせて連結ボルト８５を挿通して連結することよりも、第二連結プレート８３に形成された溝８３３に中間連結プレート８２が挿し込まれて第二連結ボルト８５を挿通して連結する方が、連結ボルト８５の軸心のずれが解消され、連結状態が安定してバランスが良くなる。
【００３９】
この構成により、第一の形態の連結具８に対して、中間連結プレート８２と第二連結ボルト８５を増やすことにより、連結具８の可動幅を拡大できる構成とすることができる。なお、中間連結プレートと連結ボルトを増やすことは、主柱３と基端側支柱４の設定間隔によって決定すれば良い。
【００４０】
また連結具８は、主柱３と基端側支柱４との間において上下方向に複数設けられても良い。これにより、主柱３と基端側支柱４の連結が確実になることにより、基端側支柱４の設置面Ｓに対する立設状態が安定し、伸縮扉部５を開閉方向に移動させ易くなる。
【００４１】
以上に説明したように、連結具８の構成として、第一連結プレート８０及び第二連結プレート８１が互いに第一連結ボルト８４を軸として摺動及び回動自在の簡単な構造にすることにより、傾斜地における伸縮扉部５の上下移動の変位を吸収できる。しかも、従来技術のような角度調節手段、或いは、長さ変更機構等の特別な構造を採用していないので、製造原価及び設置費用が廉価となる。且つ、短時間での設置が可能な伸縮門扉１を提供することができる。
【符号の説明】
【００４２】
１    伸縮門扉
３    主柱
４    基端側支柱
５    伸縮扉部
６    先端側支柱
７    中間支柱
８    連結具
５０    伸縮扉
８０    第一連結プレート
８１    第二連結プレート
８２    中間連結プレート
８３    第二連結プレート
８４    第一連結ボルト
８５    第二連結ボルト
Ｈ    水平面
Ｓ    設置面
【図１】
0003205318.tif 000003
【図２】
0003205318.tif 000004
【図３】
0003205318.tif 000005
【図４】
0003205318.tif 000006
【図５】
0003205318.tif 000007